(57)【要約】【課題】ＤＣ−ＤＣコンバータの大容量化に際して、配線作業の簡略化を図り、良好な放熱性を確保することにある。【解決手段】フルブリッジ構成のスイッチング素子Ｑ１〜Ｑ８により直流電源Ｅの電源電圧を交流に変換する一対の変換回路部１１〜１ｎ，２１〜２ｎを実装したインバータ基板６１〜６ｎと、一次側がインバータ基板６１〜６ｎの各変換回路部１１〜１ｎ，２１〜２ｎの出力にそれぞれ接続され、かつ、二次側が整流回路部３０，４０の入力にそれぞれ接続された一対のトランスＴｒ１１〜Ｔｒ１ｎ，Ｔｒ２１〜Ｔｒ２ｎとを備えたインバータユニットＩＵ１〜ＩＵｎをｎ群組み込んだＤＣ−ＤＣコンバータにおいて、一方のトランスＴｒ１１〜Ｔｒ１ｎと他方のトランスＴｒ２１〜Ｔｒ２ｎを交互配列でその配列終点が配列始点へ帰還するように配置した状態で、各トランスＴｒ１１〜Ｔｒ１ｎ，Ｔｒ２１〜Ｔｒ２ｎの二次側をｎ群間で直列に配線接続する。【選択図】　　　図１
2004096920.tif 000002
【特許請求の範囲】
【請求項１】
フルブリッジ構成のスイッチング素子により直流電源の電源電圧を交流に変換する一対の変換回路部を実装したインバータ基板と、一次側が前記インバータ基板の各変換回路部の出力にそれぞれ接続され、かつ、二次側が整流回路部の入力にそれぞれ接続された一対のトランスとを備えたインバータユニットをｎ群組み込んだＤＣ−ＤＣコンバータにおいて、前記一方のトランスと他方のトランスを交互配列でその配列終点が配列始点へ帰還するように配置した状態で、一方のトランス二次側をｎ群間で直列に配線接続すると共に他方のトランス二次側をｎ群間で直列に配線接続したことを特徴とするＤＣ−ＤＣコンバータ。
【請求項２】
交互配列でその配列終点が配列始点へ帰還するように配置された複数のトランスの周囲横方向に、対をなすトランスの一次側が変換回路部に接続されたインバータ基板を起立させて対向した状態で整列配置したことを特徴とする請求項１に記載のＤＣ−ＤＣコンバータ。
【請求項３】
前記トランスおよびインバータ基板をその整列方向と直交する方向で多段に配設したことを特徴とする請求項２に記載のＤＣ−ＤＣコンバータ。
【発明の詳細な説明】
【０００１】
【発明の属する技術分野】
本発明はＤＣ−ＤＣコンバータに関し、詳しくは、直流電源回路に使用され、直流電源の電源電圧を、異なった直流電圧に変換するＤＣ−ＤＣコンバータに関する。
【０００２】
【従来の技術】
例えば、直流電源回路に使用されるＤＣ−ＤＣコンバータの一例を図１２に示す。
【０００３】
図１２に示すＤＣ−ＤＣコンバータは、二対のスイッチング素子Ｑ１，Ｑ４とＱ２，Ｑ３およびＱ５，Ｑ８とＱ６，Ｑ７をフルブリッジ構成で接続した一対の変換回路部１０，２０と、その変換回路部１０，２０の出力側に接続された二つのトランスＴｒ１０，Ｔｒ２０と、そのトランスＴｒ１０，Ｔｒ２０の二次側出力に接続され、二対のダイオードＤ１，Ｄ４とＤ２，Ｄ３およびＤ５，Ｄ８とＤ６，Ｄ７からなる一対の整流回路部３０，４０と、その整流回路部３０，４０の出力側に共通して接続されたＬＣ平滑回路部５０とで構成されている。このＤＣ−ＤＣコンバータにおいて、一対の変換回路部１０，２０は直流電源Ｅに対して並列に接続されている。また、各変換回路部１０，２０の出力側とトランスＴｒ１０，Ｔｒ２０の一次側との間には直列コンデンサＣ１０，Ｃ２０が挿入接続されている。
【０００４】
このＤＣ−ＤＣコンバータでは、変換回路部１０，２０のスイッチング素子Ｑ１，Ｑ４とＱ２，Ｑ３およびＱ５，Ｑ８とＱ６，Ｑ７を交互にオンオフさせて交流波形出力を得る。この変換回路部１０，２０の交流波形出力をトランスＴｒ１０，Ｔｒ２０により変成し、そのトランスＴｒ１０，Ｔｒ２０の二次側出力を整流回路部３０，４０で整流すると共にＬＣ平滑回路部５０で平滑することにより、所望の直流電圧Ｖｏｕｔを生成する（例えば、特許文献１参照）。
【０００５】
【特許文献１】
特開２００２−２２３５６５号公報
【０００６】
【発明が解決しようとする課題】
ところで、前述したＤＣ−ＤＣコンバータでは、図１３に示すように一対の変換回路部１０，２０（図では８個のスイッチング素子Ｑ１〜Ｑ４，Ｑ５〜Ｑ８のみを示す）を配線基板上に実装したインバータ基板６０と、一次側がインバータ基板６０の各変換回路部１０，２０の出力にリード線７０，８０によりそれぞれ接続され、かつ、二次側が整流回路部３０，４０の入力にリード線９０，１００によりそれぞれ接続された一対のトランスＴｒ１０，Ｔｒ２０とを備えたインバータユニットＩＵを具備する。
【０００７】
このような構造を有するＤＣ−ＤＣコンバータの大容量化を図ろうとした場合、一対の変換回路部１０，２０を実装したインバータ基板６０と一対のトランスＴｒ１０，Ｔｒ２０を組み込んだ複数のインバータユニットＩＵを直流電源Ｅに対して並列接続することにより、前述したＤＣ−ＤＣコンバータの大容量化が実現可能となる。
【０００８】
しかしながら、複数のインバータユニットＩＵを設けた場合、それらインバータユニットＩＵ内に組み込まれたトランスＴｒ１０，Ｔｒ２０の個数が増大することになり、これら多数のトランスＴｒ１０，Ｔｒ２０の二次側を一対の整流回路部３０，４０に接続する配線作業が煩雑になるという問題がある。また、インバータユニットＩＵに組み込まれたインバータ基板６０とトランスＴｒ１０，Ｔｒ２０は共に発熱源となることから、これらインバータ基板６０とトランスＴｒ１０，Ｔｒ２０の配置関係についても放熱性の面で考慮する必要がある。
【０００９】
そこで、本発明は前記問題点に鑑みて提案されたもので、その目的とするところは、ＤＣ−ＤＣコンバータの大容量化に際して、配線作業の簡略化を図り、良好な放熱性を確保し得るＤＣ−ＤＣコンバータを提供することにある。
【００１０】
【課題を解決するための手段】
前記目的を達成するための技術的手段として、本発明は、フルブリッジ構成のスイッチング素子により直流電源の電源電圧を交流に変換する一対の変換回路部を実装したインバータ基板と、一次側が前記インバータ基板の各変換回路部の出力にそれぞれ接続され、かつ、二次側が整流回路部の入力にそれぞれ接続された一対のトランスとを備えたインバータユニットをｎ群組み込んだＤＣ−ＤＣコンバータにおいて、前記一方のトランスと他方のトランスを交互配列でその配列終点が配列始点へ帰還するように配置した状態で、一方のトランス二次側をｎ群間で直列に配線接続すると共に他方のトランス二次側をｎ群間で直列に配線接続したことを特徴とする。
【００１１】
本発明では、一対の変換回路部を実装したインバータ基板と一対のトランスを備えたインバータユニットをｎ群組み込んだ構造としたことにより、一つのインバータユニットでの変換容量がｎ倍されることで、ＤＣ−ＤＣコンバータの大容量化が実現可能となる。このｎ群のインバータユニットで対をなすトランスについて、一方のトランスと他方のトランスを交互配列でその配列終点が配列始点へ帰還するように配置したことにより、一方のトランス二次側をｎ群間で直列に配線接続すると共に他方のトランス二次側をｎ群間で直列に配線接続した場合、配線作業の簡略化が図れる。
【００１２】
つまり、一方のトランスと他方のトランスを交互配列でその配列終点が配列始点へ帰還するように配置すれば、それらトランスの二次側をｎ群間で直列に配線接続する場合、配列始点に位置するトランスへの配線導入と配列終点に位置するトランスからの配線導出を近接させることができるので、配線の引き回しを簡素化することができる。
【００１３】
ここで、「一方のトランスと他方のトランスを交互配列でその配列終点が配列始点へ帰還するように配置する」とは、一方のトランスと他方のトランスを交互に並べた状態で、配列始点に位置するトランスへの配線導入と配列終点に位置するトランスからの配線導出を近接させることができるように配置することを意味する。また、「一対の変換回路部」は、二つの変換回路部を直流電源に対して並列あるいは直列に接続した構成が可能である。なお、「ｎ群のインバータユニット」とは、二つ以上のインバータユニットを直流電源に対して並列あるいは直列に接続した構成を意味する。
【００１４】
また、本発明は、前記構成において、交互配列でその配列終点が配列始点へ帰還するように配置された複数のトランスの周囲横方向に、対をなすトランスの一次側が変換回路部に接続されたインバータ基板を起立させて対向した状態で整列配置したことを特徴とする。なお、前記トランスおよびインバータ基板をその整列方向と直交する方向で多段に配設することも可能である。
【００１５】
インバータ基板とトランスは共に発熱源となるが、複数のトランスの周囲横方向にインバータ基板を起立させて対向した状態で整列配置したことにより、インバータ基板およびトランスの両者からの発熱をいずれか一方が阻害することはなく、放熱性を改善することができる。なお、インバータ基板は、トランスの周囲横方向に起立させた姿勢で配置されるので、このインバータ基板の縦置き仕様により設置スペースの有効利用が可能である。
【００１６】
【発明の実施の形態】
本発明に係るＤＣ−ＤＣコンバータの実施形態を以下に詳述する。
【００１７】
この実施形態のＤＣ−ＤＣコンバータは、図１に示すようにフルブリッジ構成の二対のスイッチング素子Ｑ１，Ｑ４とＱ２，Ｑ３およびＱ５，Ｑ８とＱ６，Ｑ７（例えば、ＭＯＳ−ＦＥＴ、バイポーラトランジスタやＩＧＢＴ）により直流電源Ｅの電源電圧を交流に変換する一対の変換回路部１１〜１ｎ，２１〜２ｎを実装したインバータ基板６１〜６ｎと、一次側がインバータ基板６１〜６ｎの各変換回路部１１〜１ｎ，２１〜２ｎの出力にそれぞれ接続され、かつ、二次側が後述の整流回路部３１，４１の入力にそれぞれ接続された一対のトランスＴｒ１１〜Ｔｒ１ｎ，Ｔｒ２１〜Ｔｒ２ｎとを備えたインバータユニットＩＵ１〜ＩＵｎを具備する。なお、各変換回路部１１〜１ｎ，２１〜２ｎの出力側とトランスＴｒ１１〜Ｔｒ１ｎ，Ｔｒ２１〜Ｔｒ２ｎの一次側との間には直列コンデンサＣ１１〜Ｃ１ｎ，Ｃ２１〜Ｃ２ｎが挿入接続されている。
【００１８】
このＤＣ−ＤＣコンバータでは、前述した構成からなる複数のインバータユニットＩＵ１〜ＩＵｎを直流電源Ｅに対して並列接続することにより、ｎ群のインバータユニットＩＵ１〜ＩＵｎを組み込んでいる。このようにｎ群のインバータユニットＩＵ１〜ＩＵｎを組み込んだ構造としたことにより、一つのインバータユニットでの変換容量がｎ倍されることで、ＤＣ−ＤＣコンバータの大容量化を図っている。
【００１９】
前述したトランスＴｒ１１〜Ｔｒ１ｎ，Ｔｒ２１〜Ｔｒ２ｎの二次側にｎ群のインバータユニットＩＵ１〜ＩＵｎで共通して設けられた整流回路部３１，４１は、二対のダイオードＤ１，Ｄ４とＤ２，Ｄ３およびＤ５，Ｄ８とＤ６，Ｄ７で構成されている。また、この整流回路部３１，４１の出力側にＬＣ平滑回路５１が共通して接続されている。
【００２０】
このＤＣ−ＤＣコンバータでは、図２のタイミングチャートで示すように変換回路部１１〜１ｎ，２１〜２ｎのスイッチング素子Ｑ１，Ｑ４とＱ２，Ｑ３およびＱ５，Ｑ８とＱ６，Ｑ７を交互にオンオフさせて交流波形出力を得る。この変換回路部１１〜１ｎ，２１〜２ｎの交流波形出力をトランスＴｒ１１〜Ｔｒ１ｎ，Ｔｒ２１〜Ｔｒ２ｎにより変成し、そのトランスＴｒ１１〜Ｔｒ１ｎ，Ｔｒ２１〜Ｔｒ２ｎの二次側出力を整流回路部３１，４１で整流すると共にＬＣ平滑回路部５１で平滑することにより、所望の直流電圧Ｖｏｕｔを生成する。
【００２１】
各インバータユニットＩＵ１〜ＩＵｎでは、図２のタイミングチャートで示すように一方の変換回路部１１〜１ｎで対をなすスイッチング素子Ｑ１，Ｑ４のうち、一方のスイッチング素子Ｑ１（スイッチング素子Ｑ２はスイッチング素子Ｑ１の反転）に対して他方のスイッチング素子Ｑ４（スイッチング素子Ｑ３はスイッチング素子Ｑ４の反転）のスイッチング位相を例えば１／６周期遅らせる。
【００２２】
また、変換回路部１１〜１ｎと２１〜２ｎ間で対応するスイッチング素子Ｑ１，Ｑ５について、他方の変換回路部２１〜２ｎのスイッチング素子Ｑ５（スイッチング素子Ｑ６はスイッチング素子Ｑ５の反転）のスイッチング位相をスイッチング素子Ｑ１に対して例えば１／４周期遅らせる。
【００２３】
さらに、他方の変換回路部２１〜２ｎで対をなすスイッチング素子Ｑ５，Ｑ８のうち、一方のスイッチング素子Ｑ５に対して他方のスイッチング素子Ｑ８（スイッチング素子Ｑ７はスイッチング素子Ｑ８の反転）のスイッチング位相を１／６周期遅らせる。
【００２４】
各変換回路部１１〜１ｎ，２１〜２ｎのスイッチング素子Ｑ１〜Ｑ４，Ｑ５〜Ｑ８は、図３に示すようなドレイン−ソース間電圧Ｖｄｓおよびドレイン電流Ｉｄでもってスイッチング動作する。各スイッチング素子Ｑ１〜Ｑ４，Ｑ５〜Ｑ８のスイッチング動作により、トランスＴｒ１１〜Ｔｒ１ｎ，Ｔｒ２１〜Ｔｒ２ｎの一次側電圧（図３の最上段から二番目）にトランスＴｒ１１〜Ｔｒ１ｎ，Ｔｒ２１〜Ｔｒ２ｎの変成比をかけてその絶対値をとったもの、つまり、一次側電圧の波形を零点で折り返したもの（図３の最上段）が、トランスＴｒ１１〜Ｔｒ１ｎ，Ｔｒ２１〜Ｔｒ２ｎの二次側電圧を整流回路部３１，４１により整流した結果に得られる出力電圧Ｖ１，Ｖ２となる。
【００２５】
この整流回路部３１，４１の出力電圧Ｖ１，Ｖ２を転流により最も電圧値の高いところでトレースすることにより負荷電圧Ｖｏｕｔが生成される。この転流は、図３の矢印で示すタイミングでもって、スイッチング素子Ｑ１，Ｑ４→スイッチング素子Ｑ５，Ｑ８→スイッチング素子Ｑ２，Ｑ３→スイッチング素子Ｑ６，Ｑ７→スイッチング素子Ｑ１，Ｑ４の順で繰り返し行われる。
【００２６】
このＤＣ−ＤＣコンバータの各インバータユニットＩＵ１〜ＩＵｎは、一対の変換回路部１１〜１ｎ，２１〜２ｎを実装したインバータ基板６１〜６ｎに一対のトランスＴｒ１１〜Ｔｒ１ｎ，Ｔｒ２１〜Ｔｒ２ｎの一次側をリード線７１〜７ｎ，８１〜８ｎによりそれぞれ接続し、その一対のトランスＴｒ１１〜Ｔｒ１ｎ，Ｔｒ２１〜Ｔｒ２ｎの二次側に整流回路部３０，４０をリード線９１，１０１により接続した構成を具備する（図１参照）。
【００２７】
各インバータユニットＩＵ１〜ＩＵｎでは、一方のトランスＴｒ１１〜Ｔｒ１ｎの二次側をｎ群間で直列にリード線９１により接続すると共に他方のトランスＴｒ２１〜Ｔｒ２ｎの二次側をｎ群間で直列にリード線１０１により接続した構成としている。このような構成としたことにより、各変換回路部１１〜１ｎ，２１〜２ｎの出力電圧に僅かな差異があっても、一方のトランスＴｒ１１〜Ｔｒ１ｎの二次側と他方のトランスＴｒ２１〜Ｔｒ２ｎの二次側の出力分担を等しくすることができるので、ＤＣ−ＤＣコンバータの出力電流がアンバランス状態になることはない。
【００２８】
ここで、ｎ群のインバータユニットＩＵ１〜ＩＵｎ間で、一方のトランスＴｒ１１〜Ｔｒ１ｎの二次側と他方のトランスＴｒ２１〜Ｔｒ２ｎの二次側との配線接続として、例えば、図４に示すものが考えられる。なお、図では４群のインバータユニットＩＵ１〜ＩＵ４の場合を示す。つまり、一方のトランスＴｒ１１〜Ｔｒ１４と他方のトランスＴｒ２１〜Ｔｒ２４を直線上に配置し、各トランスＴｒ１１〜Ｔｒ１４，Ｔｒ２１〜Ｔｒ２４の二次側をリード線９０，１００により直列接続する。しかし、この場合、余分な長さを有する帰還用のリード線（図示ａ，ｂ部分）が必要となり、その分、抵抗値が増大することになって好適な手段ではない。
【００２９】
そこで、ｎ群のインバータユニットＩＵ１〜ＩＵｎ間で、一方のトランスＴｒ１１〜Ｔｒ１ｎの二次側と他方のトランスＴｒ２１〜Ｔｒ２ｎの二次側との好適な配線接続として、例えば、図５に示すものがある。なお、図では４群のインバータユニットＩＵ１〜ＩＵ４の場合を示す。つまり、一方のトランスＴｒ１１〜Ｔｒ１４と他方のトランスＴｒ２１〜Ｔｒ２４を交互に並べた状態で、その配列終点が配列始点へ帰還するように配置し、配列始点に位置するトランスＴｒ１１，Ｔｒ２１へのリード線９１の導入と配列終点に位置するトランスＴｒ１４，Ｔｒ２４からのリード線１０１の導出を近接させ、各トランスＴｒ１１〜Ｔｒ１４，Ｔｒ２１〜Ｔｒ２４の二次側をリード線９１，１０１により直列接続する。
【００３０】
このように一方のトランスＴｒ１１〜Ｔｒ１４と他方のトランスＴｒ２１〜Ｔｒ２４をその配列終点が配列始点へ帰還するように配置し、配列始点に位置するトランスＴｒ１１，Ｔｒ２１へのリード線９１の導入と配列終点に位置するトランスＴｒ１４，Ｔｒ２４からのリード線１０１の導出を近接させ、各トランスＴｒ１１〜Ｔｒ１４，Ｔｒ２１〜Ｔｒ２４の二次側をリード線９１，１０１で直列接続すれば、余分な長さを有する帰還用のリード線（図４のａ，ｂ部分参照）が不要となり、抵抗値の増大を抑制できると共にリード線の引き回し等の配線作業の簡略化が図れる。
【００３１】
また、インバータ基板６１〜６ｎとトランスＴｒ１１〜Ｔｒ１ｎ，Ｔｒ２１〜Ｔｒ２ｎとの配置関係として、例えば、図６に示すものが考えられる。なお、図は４群のインバータユニットＩＵ１〜ＩＵ４の場合で、各トランスＴｒ１１〜Ｔｒ１４，Ｔｒ２１〜Ｔｒ２４を図４の配列関係で配置した場合を示すが、図４で示したリード線９０，１００によるトランスＴｒ１１〜Ｔｒ１４，Ｔｒ２１〜Ｔｒ２４の配線は図示省略する。
【００３２】
図６では、インバータ基板６１〜６４の上方に各トランスＴｒ１１〜Ｔｒ１４，Ｔｒ２１〜Ｔｒ２４を配置している。この場合、発熱源であるインバータ基板６１〜６４の上方に、発熱源であるトランスＴｒ１１〜Ｔｒ１４，Ｔｒ２１〜Ｔｒ２４が配置されていることから、白抜き矢印で示すように放熱性が悪いので好適な手段ではない。
【００３３】
そこで、インバータ基板６１〜６ｎとトランスＴｒ１１〜Ｔｒ１ｎ，Ｔｒ２１〜Ｔｒ２ｎとの好適な配置関係として、例えば、図７に示すものがある。なお、図は４群のインバータユニットＩＵ１〜ＩＵ４の場合で、各トランスＴｒ１１〜Ｔｒ１４，Ｔｒ２１〜Ｔｒ２４を図５の配列関係で配置した場合を示すが、図５で示したリード線９１，１０１によるトランスＴｒ１１〜Ｔｒ１４，Ｔｒ２１〜Ｔｒ２４の配線は図示省略する。
【００３４】
図７では、各トランスＴｒ１１〜Ｔｒ１４，Ｔｒ２１〜Ｔｒ２４の周囲横方向に、対をなすトランスＴｒ１１〜Ｔｒ１４，Ｔｒ２１〜Ｔｒ２４の一次側が変換回路部１１〜１４，２１〜２４に接続されたインバータ基板６１〜６４を起立させて対向した状態で整列配置する。このようにすれば、インバータ基板６１〜６４とトランスＴｒ１１〜Ｔｒ１４，Ｔｒ２１〜Ｔｒ２４は共に発熱源であっても、インバータ基板６１〜６４の上方にトランスＴｒ１１〜Ｔｒ１４，Ｔｒ２１〜Ｔｒ２４が存在しないので、インバータ基板６１〜６４からの発熱がトランスＴｒ１１〜Ｔｒ１４，Ｔｒ２１〜Ｔｒ２４によって阻害されることはなく（図示白抜き矢印参照）、良好な放熱性を確保することができる。また、インバータ基板６１〜６４は、トランスＴｒ１１〜Ｔｒ１４，Ｔｒ２１〜Ｔｒ２４の周囲横方向に起立させた姿勢で配置されるので、このインバータ基板６１〜６４の縦置き仕様により設置スペースの有効利用が可能である。
【００３５】
なお、図８に示すように、図４の配列関係で配置された各トランスＴｒ１１〜Ｔｒ１４，Ｔｒ２１〜Ｔｒ２４の周囲横方向に、インバータ基板６１〜６４を起立させて対向した状態で整列配置した場合、放熱性の面では改善される。しかしながら、図示実線矢印で示すようにインバータ基板６１〜６４とトランスＴｒ１１〜Ｔｒ１４，Ｔｒ２１〜Ｔｒ２４の一次側との間の配線が前述した図７の場合（図示実線矢印参照）よりも長くなり、動作特性に悪影響を及ぼすために好適な手段ではない。
【００３６】
ＤＣ−ＤＣコンバータのインバータユニットＩＵ１〜ＩＵｎの群数が増加した場合、例えば、８群のインバータユニットＩＵ１〜ＩＵ８を有するＤＣ−ＤＣコンバータでは、図９に示すように一方のトランスＴｒ１１〜Ｔｒ１８と他方のトランスＴｒ２１〜Ｔｒ２８を交互配列でその配列終点が配列始点へ帰還するように配置すると共に、各トランスＴｒ１１〜Ｔｒ１８，Ｔｒ２１〜Ｔｒ２８の周囲横方向にインバータ基板６１〜６８を起立させて対向した状態で整列配置すればよい。なお、トランスＴｒ１１〜Ｔｒ１８，Ｔｒ２１〜Ｔｒ２８の配線は図示省略するが、図中実線矢印で示すように図５のリード線９１，１０１でトランスＴｒ１１〜Ｔｒ１８，Ｔｒ２１〜Ｔｒ２８を直列接続すればよい。
【００３７】
また、図９のＤＣ−ＤＣコンバータでは、インバータ基板６１〜６８およびトランスＴｒ１１〜Ｔｒ１８，Ｔｒ２１〜Ｔｒ２８を平面構成としたが、図１０および図１１に示すように４群ずつのインバータ基板６１〜６８およびトランスＴｒ１１〜Ｔｒ１８，Ｔｒ２１〜Ｔｒ２８を二段に平面配置した多段構成とすることも可能である。この二つの多段構成で異なる点は、上段に位置するトランスと下段に位置するトランスとを接続するリード線による配線（図示破線矢印参照）のみである。
【００３８】
【発明の効果】
本発明によれば、一対の変換回路部を実装したインバータ基板と一対のトランスを備えたインバータユニットをｎ群組み込んだ構造としたことにより、一つのインバータユニットでの変換容量がｎ倍されることで、ＤＣ−ＤＣコンバータの大容量化が実現可能となる。このｎ群のインバータユニットで対をなすトランスについて、一方のトランスと他方のトランスを交互配列でその配列終点が配列始点へ帰還するように配置したことにより、一方のトランス二次側をｎ群間で直列に配線接続すると共に他方のトランス二次側をｎ群間で直列に配線接続した場合、配線作業の簡略化が図れる。
【００３９】
また、交互配列でその配列終点が配列始点へ帰還するように配置された複数のトランスの周囲横方向に、対をなすトランスの一次側が変換回路部に接続されたインバータ基板を起立させて対向した状態で整列配置したことにより、インバータ基板およびトランスの両者からの発熱をいずれか一方が阻害することはなく、放熱性を改善することができる。
【図面の簡単な説明】
【図１】本発明の実施形態におけるＤＣ−ＤＣコンバータの回路図である。
【図２】図１のＤＣ−ＤＣコンバータの各スイッチング素子をオンオフさせるゲート信号のタイミングチャートである。
【図３】図１の整流回路部の出力電圧、トランスの一次側電圧、各スイッチング素子のドレイン−ソース間電圧およびドレイン電流の波形図である。
【図４】トランスの配列関係および配線状態の一例を示す斜視図である。
【図５】本発明の実施形態で、図１のトランスの配列関係および配線状態を示す斜視図である。
【図６】インバータ基板とトランスの配置関係、図４に示すトランスの配列関係および配線状態を示す斜視図である。
【図７】本発明の実施形態で、インバータ基板とトランスの配置関係、図５に示すトランスの配列関係および配線状態を示す斜視図である。
【図８】図７に示すインバータ基板とトランスの配置関係、図４に示すトランスの配列関係および配線状態を示す斜視図である。
【図９】本発明の実施形態における８群のインバータユニットを平面構成したもので、図７に示すインバータ基板とトランスの配置関係、図５に示すトランスの配列関係および配線状態を示す斜視図である。
【図１０】本発明の他の実施形態における８群のインバータユニットを多段構成した一例で、図７に示すインバータ基板とトランスの配置関係、図５に示すトランスの配列関係および配線状態を示す斜視図である。
【図１１】本発明の他の実施形態における８群のインバータユニットを多段構成した他例で、図７に示すインバータ基板とトランスの配置関係、図５に示すトランスの配列関係および配線状態を示す斜視図である。
【図１２】ＤＣ−ＤＣコンバータの従来例を示す回路図である。
【図１３】図１２のインバータユニットの構成部品を示す斜視図である。
【符号の説明】
１１〜１ｎ，２１〜２ｎ　変換回路部
３０，４０　整流回路部
６１〜６ｎ　インバータ基板
Ｅ　直流電源
ＩＵ１〜ＩＵｎ　インバータユニット
Ｔｒ１１〜Ｔｒ１ｎ，Ｔｒ２１〜Ｔｒ２ｎ　トランス
Ｑ１〜Ｑ４，Ｑ５〜Ｑ８　スイッチング素子
【図１】
2004096920.tif 000003
【図２】
2004096920.tif 000004
【図３】
2004096920.tif 000005
【図４】
2004096920.tif 000006
【図５】
2004096920.tif 000007
【図６】
2004096920.tif 000008
【図７】
2004096920.tif 000009
【図８】
2004096920.tif 000010
【図９】
2004096920.tif 000011
【図１０】
2004096920.tif 000012
【図１１】
2004096920.tif 000013
【図１２】
2004096920.tif 000014
【図１３】
2004096920.tif 000015